(57)【要約】      （修正有）【課題】比較的小さな力でバルーンの拡張を伴う液体の充填が可能であり、ひいては作業性、安全面において優れた医療用液体収納容器を提供する。【解決手段】医療用液体収納容器は、拡張収縮可能であり、拡張することにより液体を収納可能なバルーン１０と、バルーン１０内へ液体を充填するための充填ポート５０と、バルーン１０の拡張を補助する拡張補助部と、を有する。拡張補助部は、バルーン１０に張力を作用させることにより、バルーン１０を延伸させるものであることが好ましい。【選択図】図１
2015181822.tif 000002
【特許請求の範囲】
【請求項１】
拡張収縮可能であり、拡張することにより液体を収納可能なバルーンと、
バルーン内へ液体を充填するための充填ポートと、
バルーンの拡張を補助する拡張補助部と、を有する医療用液体収納容器。
【請求項２】
拡張補助部は、バルーンに張力を作用させることにより、バルーンを延伸させるものである、請求項１に記載の医療用液体収納容器。
【請求項３】
延伸したバルーンの一部を固定する固定部を有する、請求項２に記載の医療用液体収納容器。
【請求項４】
バルーンが延伸するようにバルーンを押圧可能な押圧部材を有する、請求項１に記載の医療用液体収納容器。
【請求項５】
押圧部材は、１または２以上の可撓性を有する長尺部材を有し、
前記長尺部材は、バルーン内において湾曲することによりバルーンを押圧するように構成されている、請求項４に記載の医療用液体収納容器。
【請求項６】
押圧部材が複数の長尺部材を有し、
長尺部材は、前記長尺部材の少なくとも一部が互いに離れるように湾曲する、請求項５に記載の医療用液体収納容器。
【請求項７】
長尺部材を湾曲した状態で固定する固定部を有する、請求項５または６に記載の医療用液体収納容器。
【請求項８】
拡張補助部の作動時において、バルーンの外側において減圧状態が維持されるように構成されている、請求項１に記載の医療用液体収納容器。
【請求項９】
形成する空間内にバルーンを収納する収納容器を拡張補助部として有し、
当該収納容器の形成する空間は、バルーンの形成する空間とは液密および気密に分離されており、かつ、減圧状態を維持することが可能に構成されている、請求項８に記載の医療用液体収納容器。
【発明の詳細な説明】
【技術分野】
【０００１】
本発明は、医療用液体収納容器に関する。
【背景技術】
【０００２】
インフューザーは、体内に薬液を持続的に注入するための医療器具である。インフューザーは、薬液を充填可能なバルーンを有し、バルーンの収縮力を利用して充填した薬液を持続的に放出することができる。
【０００３】
このようなインフューザーについては、薬液の流速の安定化、機構の簡略化、薬液の追加充填の容易化を目的として種々の機構が提案されている（例えば、特許文献１〜３）。
【先行技術文献】
【特許文献】
【０００４】
【特許文献１】特開２００１−２９４６１号公報
【特許文献２】特開平６−２９９６６８８号公報
【特許文献３】特開２００３−３２５６６０号公報
【発明の概要】
【発明が解決しようとする課題】
【０００５】
ところで、インフューザー等のバルーンに薬液を充填する容器は、薬液の充填時においては、バルーンを拡張するために圧力を適用しつつ薬液を充填する。このような作業は一般にシリンジを用いた圧入により行われるが、比較的大きな力を要する。このため、作業者によっては圧入が困難であったり、場合によっては圧入時においてシリンジが容器から外れて薬液が漏出する問題がある。このような薬液の漏出により、作業者が薬液に被爆することも懸念されている。
【０００６】
よって、本発明の目的は、比較的小さな力でバルーンの拡張を伴う液体の充填が可能であり、ひいては作業性、安全面において優れた医療用液体収納容器を提供することにある。
【課題を解決するための手段】
【０００７】
本発明者らは、鋭意検討した結果、バルーンの拡張を補助する拡張補助部を採用することにより、比較的小さな力であってもバルーンの拡張を伴う薬液の充填が可能であること見出し、本願発明を完成するに至った。
【０００８】
すなわち、本発明は以下に関する。
（１）  拡張収縮可能であり、拡張することにより液体を収納可能なバルーンと、
バルーン内へ液体を充填するための充填ポートと、
バルーンの拡張を補助する拡張補助部と、を有する医療用液体収納容器。
（２）  拡張補助部は、バルーンに張力を作用させることにより、バルーンを延伸させるものである、（１）に記載の医療用液体収納容器。
（３）  延伸したバルーンの一部を固定する固定部を有する、（２）に記載の医療用液体収納容器。
（４）  バルーンが延伸するようにバルーンを押圧可能な押圧部材を有する、（１）に記載の医療用液体収納容器。
（５）  押圧部材は、１または２以上の可撓性を有する長尺部材を有し、
前記長尺部材は、バルーン内において湾曲することによりバルーンを押圧するように構成されている、（４）に記載の医療用液体収納容器。
（６）  押圧部材が複数の長尺部材を有し、
長尺部材は、長尺部材の少なくとも一部が互いに離れるように湾曲する、（５）に記載の医療用液体収納容器。
（７）  長尺部材を湾曲した状態で固定する固定部を有する、（５）または（６）に記載の医療用液体収納容器。
（８）  拡張補助部の作動時において、バルーンの外側において減圧状態が維持されるように構成されている、（１）に記載の医療用液体収納容器。
（９）  形成する空間内にバルーンを収納する収納容器を拡張補助部として有し、
当該収納容器の形成する空間は、バルーンの形成する空間とは液密および気密に分離されており、かつ、減圧状態を維持することが可能に構成されている、（８）に記載の医療用液体収納容器。
【発明の効果】
【０００９】
本発明によれば、比較的小さな力でバルーンの拡張を伴う液体の充填が可能であり、ひいては作業性、安全面において優れた医療用液体収納容器を提供することができる。すなわち、本発明によれば、バルーンの拡張を拡張補助部（拡張補助機構）により補助することにより、比較的小さな力であってもバルーンの拡張を伴う液体のバルーンへの圧入が可能となる。この結果、液体の圧入時において例えば液体を供給するシリンジが容器より外れて、液体が不本意に漏出することが防止される。
【図面の簡単な説明】
【００１０】
【図１】図１は、本発明の第２の実施態様にかかる医療用液体収納容器の斜視図である。
【図２】図２（ａ）〜（ｃ）は、図１に示す医療用液体収納容器の側面図である。
【図３】図３（ａ）、（ｂ）は、本発明の第２の実施態様にかかる医療用液体収納容器の側面図である。
【図４】図４（ａ）、（ｂ）は、図３に示す医療用液体収納容器の変形態様に関する部分拡大図である。
【図５】図５は、本発明の第３の実施態様にかかる医療用液体収納容器の側面図である。
【発明を実施するための形態】
【００１１】
以下、本発明を、添付の図面を参照しつつ好適な実施態様に基づいて詳細に説明する。
【００１２】
まず、本発明の第１の実施態様に係る医療用液体収納容器について説明する。
図１は、本発明の第２の実施態様にかかる医療用液体収納容器の斜視図、図２（ａ）〜（ｃ）は、図１に示す医療用液体収納容器の側面図である。なお、本願における各図において、説明を容易とするため、各部材の大きさは、適宜強調されており、図示の各部材は、実際の大きさを示すものではない。また、図２（ａ）〜（ｃ）においては、説明の容易とするため、第２のポートの記載を省略した。
【００１３】
図１に示す医療用液体収納容器１は、バルーン１０と、延伸部材２０と、バルーン１０を収納する収納容器３０と、蓋体４０と、バルーン１０内へ液体Ｌを充填するための第１のポート（充填ポート）５０と、バルーン１０内へ充填された液体Ｌを放出可能な第２のポート６０と、を備えている。
【００１４】
医療用液体収納容器１は、液体Ｌをバルーン１０内に収納し、バルーン１０内に収納された液体をバルーン１０の収縮力を利用して第２のポート６０を介して持続的に放出することができる容器である。第２のポート６０に注射針やカテーテル等を接続し、液体を対象に対し持続的に投与（例えば、皮下投与または静脈投与）することができる。
【００１５】
なお、ここで、液体Ｌとしては、例えば、抗癌剤、麻酔薬、ホルモン薬等の薬剤を１種または２種以上含む薬液や液体栄養剤等が挙げられる。
【００１６】
図１、図２（ａ）〜（ｃ）に示すバルーン１０は、拡張収縮可能な袋体であり、その開口部は、蓋体４０に液密かつ気密に固定されている。バルーン１０は、第１のポート５０より液体Ｌが充填されて拡張することにより、形成する空間１１内に液体を収納することができる（図２（ｃ））。すなわち、バルーン１０は、バルーンリザーバーである。一方で、バルーン１０は、拡張後の収縮力を利用して、第２のポート６０より液体Ｌを放出する。
【００１７】
バルーン１０を構成する材料としては、特に限定されないが、柔軟性および伸縮性を有する材料を１種または２種以上組み合わせて用いることが好ましい。このような材料としては、例えば、塩化ビニル、ポリウレタン、ポリウレタンエラストマー、ナイロン、ポリエチレンテレフタレート、ポリブチレンテレフタレート等のポリエステルまたはこれを含むポリエステルエラストマー、ナイロン１１、ナイロン１２、ナイロン６１０等のポリアミド系樹脂またはこれを含むポリアミドエラストマー、ポリテトラフルオロエチレン（ＰＴＦＥ、ｅＰＴＦＥ）あるいはこれらの混合物が挙げられる。
【００１８】
延伸部材２０は、バルーン１０の蓋体４０とは反対側の外表面に連結されている。延伸部材２０は、長尺部材であり、その両端２１が、後述する収納容器３０より突出している。これにより、延伸部材２０を外部より操作して、バルーン１０に張力を作用させ、バルーン１０を延伸させることが可能である。
【００１９】
収納容器３０は、その開口部において蓋体を支持するケーシングであり、形成する空間３１内においてバルーン１０を収納する。
また、図２に示すように収納容器３０は、その対向する２の壁面にバルーン１０の収縮時における長手方向に沿って壁部が省略されて形成される溝３２が設けられ、さらに間欠的に溝３２より前記長手方向に直交する向きに溝３２が延長された複数の固定部３３が形成されている。そして、延伸部材２０は、溝３２より突出している。これにより、延伸部材２０は、溝３２に沿って移動することができる。また、延伸部材２０は、固定部３３において係止されることにより、延伸部材２０によって延伸されたバルーン１０の延伸状態を固定することができる。すなわち、延伸部材２０と固定部３３とは、延伸したバルーン１０の一部を固定する固定部（機構）を形成している。
【００２０】
また、複数の固定部３３は、その用途、例えば充填する液体の量に応じたバルーン１０の延伸状態を固定するための位置にそれぞれ、配置されている。これにより、例えば、充填する液体の量に応じてバルーン１０の延伸状態を調節することができる。なお、各固定部３３付近には、その各用途（例えば、容量）を記載した標識を付してもよい（図示せず）。
【００２１】
蓋体４０は、収納容器３０の開口部を覆うように、かつ収納容器３０の開口部を貫通するようにして、収納容器３０に固定される筒体である。また、蓋体４０は、収納容器３０の空間３１内において、バルーン１０を固定している。また、蓋体４０には、第１のポート５０および第２のポート６０が蓋体４０を貫通するようにして固定されている。
【００２２】
第１のポート５０は、蓋体が形成する筒内腔を貫通するようにして配置される内腔５１を有する管状部材であり、一方の端部５２が医療用液体収納容器１の外表面に露出するとともに、他方の端部５３がバルーン１０の空間１１内に配置されている。これにより、第１のポート５０を介してバルーン１０の空間１１内へ液体を注入することができる。なお、第１のポートの内腔５１内においては、逆止弁（図示せず）が配置されており、バルーン１０側から第１のポート５０の医療用液体収納容器１の外表面側への液体Ｌの移動が制限されている。
【００２３】
また、端部５２は、ルアーロック機構に対応した形状、本実施態様ではメスルアーロック形状を有しており、シリンジ等による液体Ｌの注入時において、シリンジと端部５２との接続を確実なものとしている。なお、端部５２は、未使用時においては、適宜キャップ、例えばルアーキャップにより適宜封される。
【００２４】
第２のポート６０は、チューブ６１と、チューブ６１の途中に配置されたフィルタ６２と、コネクタ６３とを有している。
チューブ６１は、蓋体を貫通して配置され、一方の端部６１１がバルーン１０の空間１１内に配置されるとともに、他端の端部６１２が収納容器３０外においてコネクタ６３と接続されている。これにより、バルーン１０内に収納された液体Ｌをチューブ６１を介して、医療用液体収納容器１外へ放出することが可能である。
【００２５】
フィルタ６２は、チューブ６１に流れる液体Ｌ中に存在する異物や気泡を除去することができる。
コネクタ６３は、翼状針、留置針、中心静脈カテーテルなどの注射針またはカテーテルと接続可能に構成されている。コネクタ６３は、本実施態様においては、ルアーロックコネクタである。なお、コネクタ６３は、不使用時においては、適宜ルアーキャップ等の蓋部材（図示せず）によって封される。
【００２６】
上述した各部材を構成する材料としては、特に限定されないが、例えば、金属や樹脂が挙げられる。金属としては、例えば、Ｎｉ−Ｔｉ系合金のような擬弾性合金（超弾性合金も含む）、形状記憶合金、ステンレス鋼（例えば、ＳＵＳ３０４、ＳＵＳ３０３、ＳＵＳ３１６、ＳＵＳ３１６Ｌ、ＳＵＳ３１６Ｊ１、ＳＵＳ３１６Ｊ１Ｌ、ＳＵＳ４０５、ＳＵＳ４３０、ＳＵＳ４３４、ＳＵＳ４４４、ＳＵＳ４２９、ＳＵＳ４３０Ｆ、ＳＵＳ３０２等、ＳＵＳの全品種）、コバルト系合金、金、白金のような貴金属、タングステン系合金、炭素系材料（ビアノ線を含む）等が挙げられる。樹脂としては、例えば、ポリオレフィン（例えば、ポリエチレン、ポリプロピレン、ポリブテン、エチレン−プロピレン共重合体、エチレン−酢酸ビニル共重合体、アイオノマー、またはこれらの２種以上の混合物等）、ポリ塩化ビニル、ポリアミド、ポリアミドエラストマー、ポリエステル、ポリエステルエラストマー、ポリウレタン、ポリウレタンエラストマー、ポリイミド、フッ素樹脂やポリカーボネート、ポリアミド、ポリサルホン、ポリ（メタ）アクリレート、メタクリレート−ブチレン−スチレン共重合体等の熱可塑性樹脂等の高分子材料またはこれらの混合物、あるいは、上記のうち２種以上の高分子材料が挙げられる。また、上述した各部材に対しては、これら金属や樹脂の複合物（例えば、金属と樹脂とを積層した積層体等）を適用することもできる。
【００２７】
また、上述した医療用液体収納容器１の各構成部材の大きさ等は、特に言及がない場合であっても、適用する液体の種類や、操作性等の各種使用条件に合わせて、当業者が適宜設定できることは言うまでもない。
【００２８】
以上のような医療用液体収納容器１においては、延伸部材２０と、収納容器３０の固定部３３とがバルーン１０の拡張を補助する拡張補助部を構成している。すなわち、まず、延伸部材２０によりバルーン１０に張力を作用させて、バルーン１０を延伸させることが可能である。そして、延伸部材２０は、バルーン１０を延伸させた状態で、収納容器３０の固定部３３において固定されることができる。したがって、医療用液体収納容器１は、延伸部材２０と固定部３３とを含んで構成される拡張補助部によってバルーン１０を延伸させることにより、液体Ｌのバルーン１０の空間１１内への充填時において液体Ｌによるバルーン１０の拡張を補助することができる。これにより、比較的小さな力であってもバルーン１０の拡張を伴う液体Ｌのバルーン１０への圧入が可能となる。この結果、液体Ｌの圧入時において、例えば液体Ｌを供給するシリンジが第１のポート５０より外れて、液体Ｌが不本意に漏出することが防止される。
【００２９】
以上の医療用液体収納容器１の変形態様としては、例えば、収納容器の底部が開口しており、底部の開口から延伸部材を突出させてバルーンを延伸させるように構成された医療用液体収納容器が挙げられる。この場合、延伸部材を別途の固定部材により固定してもよい。
【００３０】
また、他の変形態様としては、延伸部材の形状を種々の形状に変更したものが挙げられる。延伸部材は、任意の形状をとることができる。この場合であっても、延伸部材がバルーンを延伸するように移動可能に構成されていればよく、例えば、ワイヤー等を接続してワイヤーを引くことにより延伸部材がバルーンを延伸可能であればよい。
【００３１】
次に、本実施態様に係る医療用液体収納容器の液体の充填法について説明する。
本実施態様に係る方法は、医療用液体収納容器を供するステップと、拡張補助部を作動させるステップと、液体Ｌを医療用液体収納容器内のバルーンに充填するステップとを有している。
【００３２】
まず、最初のステップにおいては、医療用液体収納容器を供する（図２（ａ））。なお、医療用液体収納容器としては、特に限定されず、変形態様も含め上述したような医療用液体収納容器を用いることができるが、医療用液体収納容器１を用いるものとして説明する。供された医療用液体収納容器１には、適宜、公知の方法により、洗浄、滅菌処理が施されてもよい。
【００３３】
次のステップにおいては、拡張補助部を作動させる（図２（ｂ））。
具体的には、延伸部材２０を溝３２に沿って移動させることによりバルーン１０に張力を作用させて延伸させる。そして、バルーン１０を延伸した状態で固定部３３に延伸部材２０を係止し、固定する。
【００３４】
次のステップにおいては、液体Ｌをバルーン１０内に充填する（図２（ｃ））。
具体的には、ルアーコネクタを先端に備えるシリンジに液体Ｌを充填し、シリンジのルアーコネクタを第１のポート５０と接続する。次に、シリンジの押子を押圧することにより、液体Ｌの充填を行う。なお、従来のインフューザーにおいては、本ステップにおいて押圧するための力が大きくなっていたが、医療用液体収納容器１においては、拡張補助部が作動するため、押圧するための力を比較的小さなものとすることができる。また、押圧する力を比較的小さなものとすることができるため、押圧時においてシリンジが外れて液体Ｌが漏出することも防止されている。したがって、作業者が漏出した液体Ｌと接触し、被爆することも防止されている。
【００３５】
なお、医療用液体収納容器１からの液体Ｌの放出は、拡張補助部を解除して行うことができる。すなわち、延伸部材２０の固定部３３への係止を解除すると、バルーン１０が有する本来の収縮力が液体Ｌに対して作用し、第２のポート６０を介しての液体Ｌの放出が可能となる。この場合、例えば、第２のポート６０に注射針やカテーテルを接続して、患者に対して持続的に液体Ｌを皮下または静脈投与することができる。
【００３６】
また、上述した態様においては、拡張補助部の作動後に液体Ｌの充填を行うものとして説明したが、これに限定されず、例えば、拡張補助部の作動と、液体Ｌの充填とは同時に行われるものであってもよい。
【００３７】
次に、本発明の第２の実施態様にかかる医療用液体収納容器について説明する。
図３（ａ）、（ｂ）は、本発明の第２の実施態様にかかる医療用液体収納容器の側面図である。なお、図中、医療用液体収納容器１の構成部材と同一の構成部材については、同一の符号を付している。また、説明の簡略化のため、図中、第２のポートの記載を省略した。以下、医療用液体収納容器１Ａの医療用液体収納容器１との相違点を中心に説明し、一致点については説明を省略する。なお、後述する第３の実施態様についても同様である。
【００３８】
本実施態様の医療用液体収納容器１Ａは、延伸部材および収納容器３０Ａにおける溝および固定部が省略さており、かつ、バルーン１０が延伸するようにバルーン１０を押圧可能な押圧部材７０を有する点で、医療用液体収納容器１と異なっている。
【００３９】
押圧部材７０は、本実施態様においては、第１のポート５０Ａが延長して形成されたものである。
第１のポート５０Ａは、蓋体４０が形成する筒内腔を貫通するようにして配置される内腔を有する管状部材であり、蓋体４０に対して移動可能に構成されている。
また、第１のポート５０Ａは、一方の端部５２Ａが医療用液体収納容器１Ａの外表面に露出するとともに、他方の端部５３Ａがバルーン１０の空間１１内に配置されている。
【００４０】
また、図３（ａ）に示すように、第１のポート５０Ａは、空間１１内において、その管体の途中の壁部が長手方向に間欠的に欠損することにより、すなわち、スリットが形成されることにより、複数の長尺部材５４Ａを形成している。また、第１のポート５０Ａの端部５３Ａは、長尺部材５４Ａを連結するとともに、バルーン１０が接する部位は面取りされて丸みを帯びている。
そして、本実施態様において、第１のポート５０Ａは、可撓性を有する材料によって構成されており、長尺部材５４Ａは、外部からの力が作用することにより、湾曲可能に構成されている。
【００４１】
したがって、図３（ｂ）に示すように、第１のポート５０Ａをバルーン１０側に押圧することにより、端部５３Ａが収納容器３０Ａの底部とバルーン１０を介して接して、この結果、長尺部材５４Ａは、長手方向の圧縮力を受けてその一部分、具体的には中央部分が互いに離れるように湾曲する。そして、長尺部材５４Ａは、バルーン１０をその内部から押圧する押圧部材７０として機能し、バルーン１０を拡張する（延伸させる）ことができる。
【００４２】
なお、図３（ａ）に示すように、第１のポート５０Ａの端部５２Ａ付近の外周には、螺旋状の凸部５５Ａが設けられており、当該凸部５５Ａは、蓋体の内腔における螺旋状の凹部（図示せず）と螺合可能に構成されており、このような螺合機構は、長尺部材５４Ａを湾曲した状態で固定するまたは湾曲させて固定する部分（固定部）として機能する。なお、螺合を解除することにより、長尺部材５４Ａの湾曲状態も解除される。
【００４３】
また、医療用液体収納容器１Ａは、さらに、保護部材８０を有している。保護部材８０は、可撓性を有し伸縮可能な筒状の膜部材である。保護部材８０は、形成される内腔において第１のポート５０Ａが貫通しており、内腔の一方の開口が第１のポート５０Ａの外周面に、他方の開口が蓋体４０の外表面において固定されており、これにより、凸部５５Ａを含む蓋体４０より露出している第１のポート５０のバルーン１０内へ収納される部位を覆っている。したがって、保護部材８０により、バルーン１０へ収納される第１のポート５０の部位を外部の汚染より保護することができる。
【００４４】
以上のような、医療用液体収納容器１Ａにおいては、バルーン１０をその内部から押圧する押圧部材７０が、バルーン１０を拡張し、液体Ｌを充填する際のバルーン１０の拡張を補助する拡張補助部として機能する。一方で、液体Ｌの充填後、押圧部材７０の長尺部材５４Ａの湾曲を解除すると、バルーン１０の収縮力によって、液体Ｌの医療用液体収納容器１からの放出が可能となる。
【００４５】
なお、図示の態様に限定されず、本実施態様にかかる医療用液体収納容器においては、種々の変形態様を採用することが可能である。
例えば、図示の態様においては、第１のポート５０をバルーン１０側へ押圧することにより、長尺体５４に圧縮力を作用させるものとして説明したが、本発明はこれに限定されない。例えば、第１のポートを螺合によりバルーン１０側へ移動させて長尺体５４に圧縮力を作用させるように構成してもよい。このような構成は、第１のポート上の凸部の位置および距離を適宜設定することにより達成できる。
【００４６】
また、図示の態様においては、端部５３Ａが収納容器３０Ａの底部とバルーン１０を介して接することにより長尺体５４への圧縮力の作用が可能に構成されているが、本発明はこれに限定されない。
例えば、長尺体５４は、自発的に湾曲するように構成されていてもよい。この場合、圧縮力を作用させなくても長尺体５４が湾曲する。したがって、第１のポート５０の端部５３は収納容器３０Ａの底部と接する必要がないため、第１のポート５０を比較的短くすることができる。
具体的には、長尺体５４として予め湾曲した部材を採用し、これを適宜湾曲を解消した状態で供してもよい。これにより、例えばバルーン１０への液体Ｌの充填時においては長尺体５４を湾曲させることによりバルーン１０の拡張の補助が可能となる。一方で、充填後においては湾曲を再度解消した状態とすることにより液体Ｌの放出が可能となる。また例えば、長尺体５４として予め湾曲した部材を配置してもよい。
【００４７】
また、例えば、図示の態様においては、第１のポート５０Ａと押圧部材７０とが一体化しているものとして説明したが、本発明はこれに限定されない。第１のポートと押圧部材とは別個の部材として構成することが可能である。このような態様としては、例えば、図４（ａ）、（ｂ）に示すような第１のポートと押圧部材との組み合わせが挙げられる。
図４（ａ）、（ｂ）に示す第１のポート５０Ｂは管状部材であり、蓋体４０を貫通するようにして一端がバルーン１０の空間１１内に、他端がバルーン１０の空間１１外に配置されている。また、第１のポート５０Ｂは、バルーン１０の空間１１外に配置された部位において、筒体の側面から突出した固定部材５６を有している。固定部材５６は、後述する押圧部材７０に設けられたスリット（図示せず）を貫通して、蓋体４０に固定されている。これにより、第１のポート５０Ｂと蓋体４０との位置関係が固定される。
【００４８】
押圧部材７０Ａは、蓋体４０が形成する筒内腔を貫通するようにして、かつ、第１のポート５０Ｂの少なくとも一部を収納するようにして、配置される管状部材であり、蓋体４０に対して移動可能に構成されている。
また、押圧部材７０Ａは、一方の端部７１が医療用液体収納容器１Ａの外表面に露出するとともに、他方の端部７２がバルーン１０の空間１１内に、第１のポート５０Ｂの外表面に固定されるようにして配置されている。
【００４９】
また、図４（ａ）に示すように、押圧部材７０Ａは、空間１１内において、その管体の途中の壁部が長手方向に間欠的に欠損することにより、すなわち、スリットが形成されることにより、複数の長尺部材７３を形成している。なお、スリットの一部は、空間１１外まで延長されており、これにより上述した固定部材５６が押圧部材７０Ａを貫通可能に構成されている。
【００５０】
したがって、端部７２側から押圧部材７０Ａをバルーン１０側へ押圧することにより、長尺部材７３において長手方向に圧縮力が作用し、図４（ｂ）に示すように長尺部材７３が湾曲する。これにより、押圧部材７０Ａによりバルーン１０を空間１１側から押圧することができ、バルーン１０の拡張を補助することが可能となる。
なお、押圧部材７０Ａおよび蓋体４０は、図示せぬ係止部を有し、係止部により、長尺部材７３が湾曲した状態を一時的に固定することが可能に構成されている。
【００５１】
また、図示の態様においては、押圧部材７０が長尺体５４であるものとして説明したが、本発明はこれに限定されない。押圧部材は、バルーンを内部から押圧可能な任意の形態をとり得る。例えば、押圧部材は、螺旋形状を形成し得る線状体であってもよい。
【００５２】
なお、本実施態様にかかる医療用液体収納容器１Ａのバルーン１０への液体の充填方法としては、具体的な拡張補助部の作動手順を除き、上述した第１の実施態様における方法と同様とすることができる。
【００５３】
次に、本発明の第３の実施態様について説明する。
図５は、本発明の第３の実施態様にかかる医療用液体収納容器の側面図である。
【００５４】
本実施態様の医療用液体収納容器１Ｂは、延伸部材および収納容器３０Ｂにおける溝および固定部が省略さており、かつ、収納容器３０Ｂ内の空間３１Ｂが減圧状態を維持可能に構成されている点で、医療用液体収納容器１と異なっている。なお、ここで減圧状態とは、空間３１Ｂ内の圧力が医療用液体収納容器１Ｂ外の気圧よりも低い状態のことをいう。
【００５５】
収納容器３０Ｂは、空間３１Ｂ内においてバルーン１０を収納する密閉可能な容器であり、密閉時においては、収納容器３０Ｂが形成する空間３１Ｂとバルーン１０の形成する空間１１との間、および空間３１Ｂと医療用液体収納容器１Ｂ外との間における液体および気体等の物質の移動が制限される。
【００５６】
収納容器３０Ｂは、排気ポート３４を有している。排気ポート３４は、収納容器３０Ｂの側壁を貫通するように設けられた管状部材であり、さらに、開閉弁３４１とコネクタ３４２とを有する。開閉弁３４１は、排気ポート３４の開閉を制御可能に構成されており、取り付けられたコックにより開閉を選択可能に構成されている。開閉弁３４１が閉じられた場合には、収納容器３０Ｂは密閉状態となり、一方で、開閉弁３４１が開かれた際には、収納容器３０Ｂの空間３１Ｂとは、排気ポート３４を通じて外部との間の物質の移動が可能となる。
【００５７】
コネクタ３４２は、排気ポート３４の収納容器３０Ｂの外側に配置されている。コネクタ３４２には減圧ポンプ、真空ポンプ、吸引ライン、シリンジ（手動吸引）等の排気手段が接続可能であり、コネクタ３４２に排気手段を接続し、開閉弁３４１を解放した状態で排気を行うことにより、収納容器３０Ｂ内の空間３１Ｂを減圧状態にすることができる。一旦生じた空間３１Ｂ内の減圧状態は、開閉弁３４１を閉じることで維持可能であり、一方で、開閉弁３４１を開くことにより、解消する。
【００５８】
以上のような医療用液体収納容器１Ｂは、収納容器３０Ｂ内の空間３１Ｂを減圧状態とすることにより、バルーン１０の外側を減圧状態とし、これを維持することができる。これにより、バルーン１０の空間１１への液体Ｌの圧入時において空間１１内の圧力に対するバルーン１０外の圧力（気圧）をより小さいものとすることができ、バルーン１０の拡張を補助することができる。すなわち、空間３１Ｂを減圧状態とすることが可能な収納容器３０Ｂは、バルーン１０の拡張を補助する拡張補助部として機能する。なお、液体Ｌの充填後に拡張補助部を解除、すなわち、開閉弁３４１を開放して空間３１Ｂの減圧状態を解除することにより、バルーン１０を収縮させて液体Ｌを第２のポートより放出することが可能となる。
【００５９】
なお、図示の態様に限定されず、本実施態様にかかる医療用液体収納容器においては、種々の変形態様を採用することが可能である。
例えば、上述した排気ポートは、図示の態様に限定されず、収納容器の任意の部位に設置することができ、例えば、収納容器の底面に設置されていてもよい。また、図示の態様においては、排気ポート３４が外気の導入が可能に構成されているものとして説明したが、本発明はこれに限定されず、例えば、排気ポートは、逆止弁を有する等により外気の導入が不可能に構成されていてもよい。この場合、必要に応じて、外気の導入が可能な導入ポートが収納容器に設置される。
また、例えば、図示の態様においては、排気ポート３４の開閉はコックによって行われるものとして説明したが、本発明はこれに限定されず、排気ポートとしては、例えば、排気手段を接続すると排気ポートが開き、排気手段を分離すると閉まる、自動的に開閉可能な構成を採用することもできる。
【００６０】
なお、本実施態様にかかる医療用液体収納容器１Ｂのバルーン１０への液体の充填方法としては、具体的な拡張補助部の作動手順を除き、上述した第１の実施態様における方法と同様とすることができる。
【００６１】
以上、本発明によれば、生比較的小さな力でバルーンの拡張を伴う液体の充填が可能であり、ひいては作業性、安全面において優れた医療用液体収納容器を提供することができる。
【００６２】
以上、本発明を図示の実施態様について説明したが、本発明はこれに限定されるものではない。
本発明においては、各構成は、同様の機能を発揮し得る任意のものと置換することができ、あるいは、任意の構成を付加することもできる。
【符号の説明】
【００６３】
１、１Ａ、１Ｂ        医療用液体収納容器
１０                  バルーン
１１                  空間
２０                  延伸部材
２１                  両端
３０、３０Ａ、３０Ｂ  収納容器
３１、３１Ｂ          空間
３２                  溝
３３                  固定部
３４                  排気ポート
３４１                開閉弁
３４２                コネクタ
４０                  蓋体
５０、５０Ａ、５０Ｂ  第１のポート（充填ポート）
５１                  内腔
５２、５２Ａ          端部
５３、５３Ａ          端部
５４Ａ                長尺部材
５５Ａ                凸部
５６                  固定部材
６０                  第２のポート
６１                  チューブ
６１１、６１２        端部
６２                  フィルタ
６３                  コネクタ
７０、７０Ａ          押圧部材
７１                  端部
７２                  端部
７３                  長尺部材
８０                  保護部材
【図１】
2015181822.tif 000003
【図２】
2015181822.tif 000004
【図３】
2015181822.tif 000005
【図４】
2015181822.tif 000006
【図５】
2015181822.tif 000007